(57)【要約】【目的】本発明は、中通し用、外通し用の釣竿にする為の釣糸ガイドの改良に関する発明である。【構成】本発明は、上記の目的を達する為、釣糸ガイドの改良をし、それに伴って１つの手元竿で２つの方式の釣りを可能せしめたものである。【選択図】  図４
2004215639.tif 000002
【特許請求の範囲】
【請求項１】
リール竿に使用する釣糸ガイドにおいて、竿の外側に糸案内のリングを立上げ、もう１つのリングは、竿の一部に明けられた穴にもぐらせる様にした中通しと外通し両方に使える釣糸ガイド。
【発明の詳細な説明】
【０００１】
【産業上の利用分野】
本発明は、継ぎ竿の手元竿の釣糸ガイドの改良に関する発明である。
【０００２】
【従来の釣竿】
従来は、図１、図２に示す様に中通し竿と、外通し竿は別々のものとして利用されていた。
中通し竿は、塩やゴミかすなどで内部がつまってしまい使えなくなる可能性が高い釣竿である。又、竿が太くなる分調子が出づらいという問題がある。一方、外通しの竿は、ガイドをたくさん取付けなくてはならず、そこに糸がからむ上に製作がやっかいである。しかし、調子の良い竿が出来る。以上が常につきまとっていた問題であった。又、中通しガイドというのは、一般の竿作りの人達は竿の一部に長穴を明けて、そこに長穴の釣糸ガイドを取付けて竿の内部に糸を導くのが今までの竿作りで利用出来るものであった。竿メーカーでは、内部の穴径の中にガイドリングを案内として取付けてしまう方法で竿作りされているものである。しかしこれは、大きなメーカーだから出来る方法かもしれないが、一般の人々の竿作りには無理な方式である。
【０００３】
【本発明の目指すもの】
本発明は、手元竿に穴を１つ明ける（図３）だけで中通し用の竿に使えたり、外通し用の竿に使えたりするものである。
本発明は主に、竿に明けた穴をまたぐ様にガイドリング支持足を設け、そこの一方にはガイドリングを立上げ、もう一方にはガイドリングをもぐらせる様にした構造にする。又、これに準じて穴にもぐらせる分は別の釣糸ガイドを取付けておく方法により、いずれも中通し、外通しの両方の釣が出来る手元竿が出来上がることになる。
【０００４】
【実施例】
請求項の実施例。
図４は、釣糸ガイド▲３▼支持足に２つのガイドリング▲３▼−１及▲３▼−２を取付けたもの。竿に接する支持足は、糸を巻いて竿に固定される。
図５は、竿に明けられた穴Ｈに片足支持の釣糸ガイド▲４▼−１を取付け、もう１つの釣糸ガイド▲３▼−１と組合せて使用するもの。竿に接する支持足は、糸を巻いて固定される。
図６は、従来の中通しガイド▲５▼に釣糸ガイド▲３▼−イを竿に取付けた状態。
図７は、手元竿に釣糸ガイド▲３▼−イ及び▲３▼を取付けた状態を示している。リールから出た糸は、▲３▼−イと▲３▼を通って矢印の通り外通しガイドとして穂先のガイドに使用される。中通し竿として使う時は、糸は▲３▼−イ、▲３▼を通り穴Ｈに入って使われる。
【０００５】
【釣糸ガイドの構造】
◎本発明の釣糸ガイド▲３▼の主なる構造は図４のもので、▲３▼−１のガイドリングは硬質のセラミックなどで▲３▼−３の板金一体形のフレームに圧入されて作られる。又、もう１つの方法は、ガイドリング▲３▼−１に金属▲３▼−４をかぶせて、▲３▼−３のフレームに溶着する。▲３▼−２のガイドリングも、▲３▼−３フレームの下部に溶着する。この様に、２通りの方法で作ることが出来る。出来上がった釣糸ガイド▲３▼は竿に明けられた穴Ｈの部分に図４の如く取付け、糸巻きによって竿に固定し、中通しと外通しの両用になる釣竿が完成する。
◎図５について。中通し、外通し両用釣竿にするのに、▲４▼の釣糸ガイドは片足固定のフレームを有するもので、▲４▼−２の部分を竿に固定する。そこにまたぐ様に▲３▼の釣糸ガイドを糸巻きによって固定し、図４の釣糸ガイドと同じ様な性能にしたものである。
◎図６について。▲５▼は現在市販されている長穴のガイドリングを有する中通し用元ガイドで、竿に長穴を作り、それをまたぐ様にして取付け、両側を糸巻きによって竿に固定化される。一般に竿作りする場合の唯一の釣糸ガイドである。これを外通しと両用にする為には、釣糸ガイド▲３▼をまたぐ様に糸巻きによって固定することにより、図４に相当する様な釣竿にする方法である。
【０００６】
【従来の技術】
中通しの竿は、図８の様に釣竿メーカーがプラスチック成形でガイドリング２ヶを固定化し、竿に成形体を両側から合体させたものを作ったり、あるいは、長穴を有する前述したガイドリング▲５▼を竿に取付けたもので竿にしているのが現状である。一般の人々が竿作りに中通し竿を作るには、市販されている▲５▼の長穴ガイドを取付けるしか方法がないのが現実である。又、中通しガイドというのは、内部に入った塩水が乾くと塩が固着する上に、海水の汚れやゴミ等が内部に入り込み、穴がつまって糸が出なくなってしまうのが最大の欠点となっている。したがって従来の釣糸ガイドでは、手作りでせっかく竿を作ってもその竿はだめになって使えなくなるのは分かりきったことでもある。しかしながら、手作りを楽しむ人々にとってはそれでも作ってみたいのが心理といえる。
【０００７】
【発明の効果】
そこで本発明は、手元竿に工夫を凝らして、中通しで使えなくなった穂先に外通し用のガイドを取付けて、通常の外通しの竿にしたり、初めから両方の穂先を準備して、手元竿を無駄にしないですむ釣竿というのを考え出したものである。それを可能にするのが本発明の釣糸ガイドである。又、竿に丸穴を１つ明けるだけですむので、従来の様に長穴にしないことにより、竿の強度が上がる事と穴の加工が簡単になる。しかも、長穴のガイドリングでなくてよいので、ガイドリングのコストが大幅に安くなる。以上の様な特徴ある竿が作り出せることにより、個人が作る手作り竿の手助けになるのはもちろん、竿メーカーも本発明を使えば、手元竿１本で２通りの釣りを楽しめるの割安な竿を作ることが出来る。販売促進としての価値が大変高いものとなる。
【図面の簡単な説明】
【図１】中通し竿の全体の側面図である。
【図２】外通し竿の全体の側面図である。
【図３】中通し竿の全体の平面図と穴の部分の拡大図である。
【図４】請求項の実施例の側断面図である。
【図５】２ヶの釣糸ガイドを竿に取付けた側断面図である。
【図６】長穴の釣糸ガイドに釣糸ガイドをまたがせた側断面図である。
【図７】手元竿に２ヶのガイドリングを取付けた竿の側面図である。
【図８】プラスチック成形体にガイドリングを取付けた側断面図である。
【符号の説明】
▲１▼      手元竿
▲２▼      リール
▲３▼      釣糸ガイド
▲３▼−１  ガイドリング
▲３▼−２  中通し用ガイドリング
▲３▼−３  フレーム
▲４▼−１  片足ガイド
▲４▼−２  フレーム
▲５▼      長穴ガイド
▲５▼−１  ガイドリング
▲５▼−２  取付金具
▲６▼      プラスチック成形体とガイドリング
Ｈ      中通し用丸穴
Ｈ−１  長穴
【図１】
2004215639.tif 000003
【図２】
2004215639.tif 000004
【図３】
2004215639.tif 000005
【図４】
2004215639.tif 000006
【図５】
2004215639.tif 000007
【図６】
2004215639.tif 000008
【図７】
2004215639.tif 000009
【図８】
2004215639.tif 000010